(57)【要約】  プレート１２上にライン状に配列された発光素子群１４を回転駆動する様々な構造の回転ディスプレイ１０に表示する画像を選択して送信する。  ユーザの保有する回転ディスプレイ１０の種別と、画像データ６６を表示するタイムスケジュール８６をユーザデータに含める。複数の画像データ６６の中からユーザの保有する回転ディスプレイ１０の種別に応じて表示可能な画像データ６６をユーザに選択させる。ユーザが選択した画像データ６６と、この画像データ６６を表示するタイムスケジュール８６を示すデータを回転ディスプレイ１０に送信する。
2019087857.tif 000002
【特許請求の範囲】
【請求項１】
ライン状に配列された発光素子群がプレート上に固定されており、このプレートを回転駆動して画像データを表示する複数の回転ディスプレイに対して、上記の回転ディスプレイに表示される画像データを記憶装置に記憶して、回転ディスプレイに送信するためのサーバが、ネットワークを介して接続されており、
このサーバには、
ユーザの保有する回転ディスプレイの種別と、上記の画像データを表示するタイムスケジュールを含むユーザデータを記憶した記憶装置と、
上記の記憶装置に記憶された複数の画像データの中からユーザの保有する回転ディスプレイの種別に応じて表示可能な画像データをユーザに選択させ、もしくは表示可能な画像データをユーザに作成させ、かつ、その画像データを表示するタイムスケジュールを入力させる操作画面を表示するユーザインタフェースと
ユーザが選択しもしくは作成した画像データと、この画像データを表示するタイムスケジュールを示すデータを上記回転ディスプレイに送信し、または、ユーザが選択しもしくは作成した画像データをそのタイムスケジュールに応じて送信するディスプレイコントローラとを備えたことを特徴とする回転ディスプレイの制御システム。
【請求項２】
上記サーバは、ネットワークを介してデザイナーの端末装置と接続されており、デザイナーの端末装置から送信された画像データがサーバの記憶装置に記憶されていて、ユーザがその画像データを回転ディスプレイに表示するために選択したとき、その画像データのデザイナーへの報酬を加算する課金制御部が設けられている請求項１に記載の回転ディスプレイの制御システム。
【請求項３】
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
上記プレート上に発光素子列を二列配列し、この列と交差する方向から見たとき、一方の列の発光素子の間から他方の素子が見えるように、二列の発光素子列の配置を互いにシフトさせた回転ディスプレイを備えた請求項１に記載の回転ディスプレイの制御システム。
【請求項４】
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備えた複数の回転ディスプレイにより構成され、
予め設定したパターンに、上記複数の回転ディスプレイを配置し、それぞれの回転ディスプレイで表示される画像の一部または全部がオーバーラップするように、複数の回転ディスプレイを配置した請求項１乃至３のいずれかに記載の回転ディスプレイの制御システム。
【請求項５】
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
駆動軸に平行に単数または複数のプレートを配置して、各プレートが駆動軸を軸にしてその周りを回転する回転ディスプレイを備えた請求項１乃至４のいずれかに記載の回転ディスプレイの制御システム。
【請求項６】
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
複数のプレートを回転する駆動軸の周囲に傘形に配置した回転ディスプレイを備えた請求項１乃至４のいずれかに記載の回転ディスプレイの制御システム。
【請求項７】
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
上記プレートもしくは基板が透明板である回転ディスプレイを備えた請求項１乃至４のいずれかに記載の回転ディスプレイの制御システム。
【請求項８】
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
透明板にモーターの回転軸を貫通させ透明板の一方の側にモーターを配置し、他方の側に発光素子群をモーター側に向けてプレートを配置した回転ディスプレイを備えた請求項１乃至４のいずれかに記載の回転ディスプレイの制御システム。
【請求項９】
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
上記回転駆動されるプレートを透明な半球状の防護カバーで包囲した回転ディスプレイを備えた請求項１乃至４のいずれかに記載の回転ディスプレイの制御システム。
【請求項１０】
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
回転駆動されるプレートに防護カバーが無く、人が近づいたときにこれを検知する人感センサと、この検知により警報音を発する警報器もしくは検知により駆動装置の電源を遮断するスイッチとを備えた回転ディスプレイを備えた請求項１乃至４のいずれかに記載の回転ディスプレイの制御システム。
【請求項１１】
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
上記プレートの横断面が流線形とされ、もしくは、上記プレートは上記回転運動の回転軸に対して軸対称のＳ字状とされている回転ディスプレイを備えた請求項１乃至４のいずれかに記載の回転ディスプレイの制御システム。
【発明の詳細な説明】
【技術分野】
【０００１】
本発明は、回転駆動されるプレート上にライン状に配列された発光素子群により画像を表示する回転ディスプレイの制御システムに関する。
【背景技術】
【０００２】
回転駆動される帯状のプレート上にライン状に配列された発光素子群により画像を表示する回転ディスプレイの技術が知られている（特許文献１）。この技術は、いわゆるフレームのある一般のディスプレイと違い、フレームに囲まれた画像を表示するものではない。ライン状に配列され発光素子群を回転させて、残像による画像が表示される。画像が宙に浮いて見えるため、リアルな動画や立体画像を表示させることができる。
【先行技術文献】
【特許文献】
【０００３】
【特許文献１】ＷＯ／２０１５／１４０５７８号公報
【発明の概要】
【発明が解決しようとする課題】
【０００４】
既知の従来の技術には、次のような解決すべき課題があった。
回転ディスプレイは店舗に設置して広告宣伝用に使用すると効果的である。その効果をより高めるために構造をさらに改良することが望ましい。また、表示する画像を自由に切り替えたり、適切なタイミングで表示するシステムの構築が望まれる。さらに、回転ディスプレイは、回転部分が人を傷つけるおそれがある。しかし、単にカバーをかけたのでは視覚的効果が減少する。従って、より安全性の高い構造が望まれる。本発明は、こうした課題を解決するためになされたものである。
【課題を解決するための手段】
【０００５】
以下の構成はそれぞれ上記の課題を解決するための手段である。【０００６】
＜構成１＞
ライン状に配列された発光素子群がプレート上に固定されており、このプレートを回転駆動して画像データを表示する複数の回転ディスプレイに対して、上記の回転ディスプレイに表示される画像データを記憶装置に記憶して、回転ディスプレイに送信するためのサーバが、ネットワークを介して接続されており、
このサーバには、
ユーザの保有する回転ディスプレイの種別と、上記の画像データを表示するタイムスケジュールを含むユーザデータを記憶した記憶装置と、
上記の記憶装置に記憶された複数の画像データの中からユーザの保有する回転ディスプレイの種別に応じて表示可能な画像データをユーザに選択させ、もしくは表示可能な画像データをユーザに作成させ、かつ、その画像データを表示するタイムスケジュールを入力させる操作画面を表示するユーザインタフェースと
ユーザが選択しもしくは作成した画像データと、この画像データを表示するタイムスケジュールを示すデータを上記回転ディスプレイに送信し、または、ユーザが選択しもしくは作成した画像データをそのタイムスケジュールに応じて送信するディスプレイコントローラとを備えたことを特徴とする回転ディスプレイの制御システム。【０００７】
＜構成２＞
上記サーバは、ネットワークを介してデザイナーの端末装置と接続されており、デザイナーの端末装置から送信された画像データがサーバの記憶装置に記憶されていて、ユーザがその画像データを回転ディスプレイに表示するために選択したとき、その画像データのデザイナーへの報酬を加算する課金制御部が設けられている構成１に記載の回転ディスプレイの制御システム。【０００８】
＜構成３＞
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
上記プレート上に発光素子列を二列配列し、この列と交差する方向から見たとき、一方の列の発光素子の間から他方の素子が見えるように、二列の発光素子列の配置を互いにシフトさせた回転ディスプレイを備えた構成１に記載の回転ディスプレイの制御システム。【０００９】
＜構成４＞
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備えた複数の回転ディスプレイにより構成され、
予め設定したパターンに、上記複数の回転ディスプレイを配置し、それぞれの回転ディスプレイで表示される画像の一部または全部がオーバーラップするように、複数の回転ディスプレイを配置した構成１乃至３のいずれかに記載の回転ディスプレイの制御システム。【００１０】
＜構成５＞
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
駆動軸に平行に単数または複数のプレートを配置して、各プレートが駆動軸を軸にしてその周りを回転する回転ディスプレイを備えた構成１乃至４のいずれかに記載の回転ディスプレイの制御システム。【００１１】
＜構成６＞
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
複数のプレートを回転する駆動軸の周囲に傘形に配置した回転ディスプレイを備えた構成１乃至４のいずれかに記載の回転ディスプレイの制御システム。【００１２】
＜構成７＞
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
上記プレートもしくは基板が透明板である回転ディスプレイを備えた構成１乃至４のいずれかに記載の回転ディスプレイの制御システム。【００１３】
＜構成８＞
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
透明板にモーターの回転軸を貫通させ透明板の一方の側にモーターを配置し、他方の側に発光素子群をモーター側に向けてプレートを配置した回転ディスプレイを備えた構成１乃至４のいずれかに記載の回転ディスプレイの制御システム。【００１４】
＜構成９＞
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
上記回転駆動されるプレートを透明な半球状の防護カバーで包囲した回転ディスプレイを備えた構成１乃至４のいずれかに記載の回転ディスプレイの制御システム。【００１５】
＜構成１０＞
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
回転駆動されるプレートに防護カバーが無く、人が近づいたときにこれを検知する人感センサと、この検知により警報音を発する警報器もしくは検知により駆動装置の電源を遮断するスイッチとを備えた回転ディスプレイを備えた構成１乃至４のいずれかに記載の回転ディスプレイの制御システム。【００１６】
＜構成１１＞
駆動装置により回転駆動されるプレート上にライン状に配列された発光素子群と、これらの発光素子群の回転中に残像による画像を形成するための画像データを記憶するデータバッファと、
上記画像データを上記画像素子群に供給する画像制御部とを備え、
上記プレートの横断面が流線形とされ、もしくは、上記プレートは上記回転運動の回転軸に対して軸対称のＳ字状とされている回転ディスプレイを備えた構成１乃至４のいずれかに記載の回転ディスプレイの制御システム。
【発明の効果】
【００１７】
＜構成１の効果＞
回転ディスプレイの種別に応じて表示できる画像データをユーザに提示し、ユーザはその中から希望する画像データを選んで使用できる。ユーザにタイムスケジュールを入力させて、画像データの表示タイミングをコンピュータが自動制御し、広告宣伝等に最大限の効果を発揮させることができる。また、ユーザインタフェースにより、ユーザが自由に画像データの増減変更をすることができる。サーバがネットワークを通じて広域に設置された多種の回転ディスプレイを制御できる。
＜構成２の効果＞
ユーザに好評なデザインの画像データをエントリしたデザイナーに相応の報酬を提供することができる。
＜構成３の効果＞
発光素子群が１ラインの場合には、隣接する発光素子の隙間の環状の黒い筋が目立つことがある。平行に並べた二列の発光素子列の配置を互いに長手方向にシフトさせて点灯させると、これを防止できる。
＜構成４の効果＞
各１枚のプレートでひとつの動画や立体画像を表示して複数のプレートで画像を連携させるとより効果的な広告塔のディスプレイができる。複数の回転ディスプレイの一部または全部をオーバーラップさせて継ぎ目のない任意の形状の画像が表示できる。
＜構成５の効果＞
プレートの長手方向に文字を表示するような用途に最適である。一般的なディスプレイの前面に配置して字幕等の合成画像を形成することができる。
＜構成６の効果＞
回転する駆動軸を床に対して垂直に立てると、駆動軸の周囲のどこからでも、表示画像を見ることができる。
＜構成７の効果＞
プレートや基板が透明だと、発光素子群の回転中に残像により形成される画像が完全に宙に浮いて見えるため、動画や立体画像がよりリアルに感じられる。
＜構成８の効果＞
透明板の一方のモーター側から見れば安全は確保される。しかも、透明板からは回転するプレートの後ろ側の景色等も見えるため、残像による動画や立体画像とその背景とが融合する視覚的な効果がある。
＜構成９の効果＞
回転するプレートに人が触れるのを防止するとともに、半球状の防護カバーにより、上記の残像による立体画像の奥行きがより深く感じられる視覚的な効果がある。
＜構成１０の効果＞
防護カバーが無い場合の備えとして、人が触れるまで近づいたときの安全を確保できる。
＜構成１１の効果＞
プレートの回転による風切り音を低減することができる。
【図面の簡単な説明】
【００１８】
【図１】FIG1Aは既知の回転ディスプレイの概略平面図で、FIG1Bはその側面図、FIG1Cは装置の基板に搭載された回路例のブロック図である。
【図２】FIG2は実施例１の回転ディスプレイの側面図である。
【図３】FIG3は実施例２の回転ディスプレイの側面図である。
【図４】FIG4は実施例３の複数台の回転ディスプレイの側面図である。
【図５】FIG5Aは複数台の回転ディスプレイを壁に並べて固定した例の正面図、FIG5Bは楕円形のパネルに配置した例を示す正面図である。
【図６】FIG6は実施例４の回転ディスプレイの部分平面図である。
【図７】FIG7Aは実施例５の回転ディスプレイのプレートの横断面図、FIG7Bはプレートの平面図である。
【図８】FIG8は回転ディスプレイの駆動方法の例を示す説明図である。
【図９】FIG9Aは実施例６の回転ディスプレイの斜視図で、FIG9Aは表示される画像の例を示す正面図である。
【図１０】FIG10Aは実施例７の回転ディスプレイの斜視図、FIG10BからFIG10Dはその動作説明図である。
【図１１】FIG11AからFIG11Cは実施例８の回転ディスプレイの斜視図、FIG11Dはその動作説明図である。
【図１２】FIG12は、インターネット（Internet）を利用した管理システムのブロック図である。
【図１３】FIG13は、ユーザーデータと画像データの具体例を示すブロック図である。
【発明を実施するための形態】
【００１９】
以下、本発明の実施の形態を実施例毎に詳細に説明する。
ＦＩＧ１からＦＩＧ１１で、本発明の回転ディスプレイの制御システムで使用される各種の構造の回転ディスプレイの説明をする。その後、ＦＩＧ１２で、回転ディスプレイの制御システムの全体構造を説明する。
【００２０】
ＦＩＧ１Ａは既知の回転ディスプレイ１０の概略平面図で、ＦＩＧ１Ｂはその側面図、ＦＩＧ１Ｃは装置の基板１６に搭載された回路例のブロック図である。
まず、このＦＩＧ１を利用して、特許文献１の装置の概略構造と動作原理を説明する。この装置は、プレート１２に直線状に発光素子群１４（例えば  LED Arrey）を配列したものである。これらの発光素子群１４は基板１６に搭載した画像制御部２０によって点滅駆動される。プレート１２と基板１６とは一体化されている。そして、基板１６の中央に回転軸を固定した駆動装置１８（例えば、電気モータ）によってプレート１２は矢印Aの方向に回転する。
【００２１】
ＦＩＧ１Ｃに示すように、基板１６には、画像制御部２０（Desplay Control）とデータバッファ２４（Data  Buffer）と通信制御部２２（Communication  control  Unit）とが搭載されている。通信制御部２２は、発光素子群１４を点滅制御するための画像データを、外部から受信する機能を持つ。この画像データは、例えば外部のパーソナルコンピュータやサーバから送信される。受信された画像データはデータバッファ２４に記憶される。画像制御部２０はこの画像データを所定のタイミングで順番に読み出して発光素子群１４を駆動する。
【００２２】
ＦＩＧ１Ａに示したプレート１２が駆動装置１８によって矢印Ａ方向に高速回転すると、発光素子群１４に供給される画像データによって発光素子群１４が点滅し、残像効果により様々な画像が表示される。この回転ディスプレイは、フレームのあるディスプレイと違い、フレームに囲まれた画像が見えることがない。プレート１２が高速回転すると、プレートが見えなくなるため、発光素子群１４が表示する画像が空間に浮いているように見える。これにより、リアルな動画や立体画像を表示させることができるという特徴を持つ。
【実施例１】
【００２３】
ＦＩＧ２は、実施例１の回転ディスプレイを示す側面図である。
ＦＩＧ１Ａを用いて説明したようにプレート１２が回転しながら画像を表示するので、回転中は動画や立体画像が浮かび上って人の目を引きつける。そのとき、周囲の人が、プレート１２が回転していることを忘れてしまうと、手や顔を近づけ過ぎて危険である。例えば、プレートの長さは数十センチメートル、幅は数センチメートル、厚みは発光素子群１４と合わせても数ミリメートルである。これが回転をしていると手や指を切るおそれが高い。【００２４】
そこで、この実施例では、ＦＩＧ２Ａに示すように、プレート１２全体を覆うように防護カバー２６を設ける。この防護カバー２６は、透明のプラスチックやガラス等によって構成されることが好ましい。また、動画や立体画像の視認を妨げない光透過性の良い網なども適する。これによって、安全を確保することができる。【００２５】
なお、透明のプラスチック等によって構成された半球状の防護カバー２６を被せると、この中に見える立体画像の奥行きがより深く感じられる効果がある。また、防護カバー２６の中で立体が動き回るような錯覚も生じさせる効果がある。従って、この構造は、単なる防護だけでない固有の効果が得られる。【００２６】
ＦＩＧ２ＢとＦＩＧ２Ｃも、安全を確保するための構造例である。ＦＩＧ２Ｂの例では、人感センサ２８と警報器３０が設られている。すなわち、人感センサ２８が回転ディスプレイ１０に近づく人を検出すると、警報器３０が警報音を発する。これによって危険を防止することができる。また、ＦＩＧ２Ｃに示すように、駆動装置１８を駆動するための電源３１から供給される電気をスイッチ３２で切断できるようにする。人感センサ２８が人が近づいたことを検出するとスイッチ３２が作動してプレート１２の回転を停止させる。これによって安全を確保することができる。いずれも、防護カバー２６が無い場合に有効である。
【実施例２】
【００２７】
ＦＩＧ３は、実施例２の回転ディスプレイを示す側面図である。
この実施例も、見る人の安全を確保するとともに、表示される動画や立体画像の視覚的な効果を増大させる効果を備えたものである。この装置は、ガラス窓３４の一方の側に駆動装置１８を固定する。駆動装置１８のある側は屋内である。そして、駆動装置１８の回転軸がガラス窓３４を貫通している。基板１６とプレート１２とは窓の外側にある。もちろん、雨等がかからない手当をしておく。基板１６とプレート１２とは駆動装置１８の回転軸によって回転される。発光素子群１４はプレート１２のガラス窓３４に向いた面に配列されている。【００２８】
したがって、ガラス窓３４の右側、即ち、屋内から外を見るように発光素子群１４の回転による動画や立体画像を見ることができる。ガラス窓３４越しに動画や立体画像を見るので、動画や立体画像が外の景色等と融合して、極めて効果的な演出が可能になる。
【実施例３】
【００２９】
ＦＩＧ４とＦＩＧ５は、複数の回転ディスプレイ１０を使用した実施例の側面図である。
これらの実施例は、安全性を確保しつつ広告宣伝等に適した効果的な演出ができるものである。ＦＩＧ４の例では、複数の回転ディスプレイ１０が天井３６に吊り下げられるように固定されている。人３８は天井３６を見上げながら、複数の回転ディスプレイ１０の連携により形成される動画や立体画像を見ることができる。その結果天井３６を動画や立体画像が動き回ったり複数の立体画像が連携して動くような非常に効果的な表現が可能になる。【００３０】
ＦＩＧ５Ａは、複数台の回転ディスプレイ１０を壁４０に並べて固定した例を示す。ＦＩＧ５Ｂは例えば、楕円形のパネル４２に、複数台の回転ディスプレイ１０を配置している。要求されるデザインに応じて、回転ディスプレイ１０をどのように配置しても構わない。ＦＩＧ５Ｂでは、６台の回転ディスプレイ１０を、それぞれが表示する破線の円形の画像の一部が重なり合うように配置している。例えば、ＦＩＧ５Ｃに示すように、横に並んだ３台のプレート１２の回転軸方向の高さ方向の位置を、各回転ディスプレイ１０毎に相異させれば、プレート１２が互いに衝突することはない。このように、予め設定したパターンに、上記複数の回転ディスプレイ１０を配置し、それぞれの回転ディスプレイ１０で表示される画像の一部または全部がオーバーラップするように、複数の回転ディスプレイ１０を配置する。これで、上下左右に連続した切れ目の目立たない画像が表示できる。こうした構造によって、複雑に動画や立体画像が連携して動き変化する演出が可能になる。実際に、人や動物や自動車等が走るような画像を複雑に組み合わせて、効果的な広告用のディスプレイができる。フレームが見えないから、建物の天井や壁の模様などを背景に利用できる。他の全ての実施例の回転ディスプレイも、同様に画像の一部または全部がオーバーラップする配置が可能である。
【実施例４】
【００３１】
ＦＩＧ６はプレート１２に２列の発光素子群１４を配置した主要部の平面図である。
この図の１個の四角形は、例えば、三原色を発光させる３個のＬＥＤを一体化したものである。一列の発光素子群１４を回転させながら所定のタイミングで画像データを供給すると、残像効果でカラーの動画や立体画像を表示することができる。これは既に説明したとおりである。【００３２】
ここで、プレート１２が回転して画像を表示しているときに、環状の黒い筋が見える場合がある。表示された画像を写真撮影するとその線が明瞭に見えることもある。黒い筋は、隣接する発光素子１４の隙間により生じる。そこで、この実施例では、発光素子群１４を２列構成にした。平行に並べた二列の発光素子列の配置を互いに長手方向にシフトさせて点灯させると、黒い筋の発生を防止できる。
【実施例５】
【００３３】
ＦＩＧ７Ａはプレート１２の平面図、ＦＩＧ７Ｂはプレート１２のＸ−Ｘ線に沿う横断面図である。
これは、プレート１２ａが回転するときの騒音を抑制するための構造である。【００３４】
例えば、ＦＩＧ７Ａは、プレート１２ａが回転するときに発生する振動を防止する構造のものである。平面で見たプレート１２ａの形状を全体にＳ字状にした。このプレート１２ａを矢印Ｂの方向に回転させる。これで、プレート１２ａに当たる風の流れａを整えて、不正振動を防止し、騒音を減少させることができる。【００３５】
ＦＩＧ７Ｂに示すように、プレート１２の断面を、例えば流線型にしてもよい。プレート１２うに搭載した発光素子群１４を樹脂モールドして覆って保護し、全体としてその断面を流線型に整える。これによって、回転するときの騒音を大きく減衰させることができる。なお、この実施例では、プレート１２を断面からみて、飛行機のプロペラのように傾斜させた。これにより、プレート１２が回転すると、ディスプレイの前面方向あるいは背面方向に風を起こすことができる。サーキュレータとしても機能するし、リボンを揺らせたり、スチームの流れを演出に利用することができる。こうした断面構造は、他の実施例にもそのまま応用できる。【００３６】
ＦＩＧ８は、上記の各実施例の回転ディスプレイを駆動する駆動信号の例を示す説明図である。
この図は駆動装置１８をパルスモーターとしたとき、それに供給する駆動パルスのタイミングを示す。また、画像データ４６はプレート１２の発光素子群１４に供給する発光制御信号である。横軸は時間である。カラーの場合は３色のディジタル信号であるが、ここでは単色の画像データの供給タイミングを例示する。【００３７】
例えば、パルスモーターに一回パルスを供給するごとに、π／６０ラジアンだけ駆動装置１８（ＦＩＧ２）の駆動軸が回転するものとする。この一回のパルス供給のタイミングで、プレート１２上の全ての発光素子群１４に画像データを供給して、１ライン分（円の直径に相当するライン）の画像を表示させる。駆動軸５０がπラジアン即ち、２分の１回転すると、６０ライン分の画像データ４６が供給される。ＦＩＧ２に示す装置では、これで、１画面分の残像表示がされる。【００３８】
１分間に３０画面の動画を再生するには、１画面分の再生時間をＴ２としたとき、Ｔ２は３０分の１秒になる。駆動軸を毎分３０回転させればよい。パルスモーターに駆動パルス４４を供給する周期Ｔ１はＴ２／６０秒になる。以上は単なる例示である。発光素子群１４や駆動装置１８の性能や要求される残像効果に応じて、信号処理の方法は自由に変更することができる。これにより、残像効果を利用した表示装置が実現する。
【実施例６】
【００３９】
ＦＩＧ９Ａは、実施例１等で説明した装置の斜視図である。この装置のこれまでとは別の制御例を示す。即ち、この基本的な構造の回転ディスプレイを使用して、円形の画面上に１画面分の画像を表示する以外の表示制御ができる。即ち、ＦＩＧ９Ｂの例のように、円形の領域中に複数の画面が別個に独立に表示されるように制御することもできる。これにより、さらに画像が空中に浮き上がって見えるような効果を強く発揮することができる。
【実施例７】
【００４０】
ＦＩＧ１０は本発明の装置のさらに別の変形例である。
ＦＩＧ１０Ａは、円錐形の画像を表示できるように、複数のプレート１２を回転する駆動軸５０の周囲に傘形に配置したものである。ＦＩＧ１に示した装置に比べてより立体感のある画面を楽しめる。しかも、回転する駆動軸５０を床に対して垂直に立てると、駆動軸５０の周囲のどこからでも、表示画像を見ることができる。【００４１】
さらに、ＦＩＧ１０Ｂに示すように、プレート１２が駆動軸５０の回転速度が上がったときに傘を広げるように変形すると、画像の形状も変化する。ＦＩＧ１０Ｃは側面から見た場合の変化を示し、ＦＩＧ１０ＤはＦＩＧ１０Ｂの状態を上面からみた場合の変化を示す。このような変化は広告宣伝効果をより高める効果をもたらす。
【実施例８】
【００４２】
ＦＩＧ１１Ａは駆動軸５０に平行に単数または複数のプレート１２を配置した例を示す。この例の場合には駆動軸５０の手前に残像による長方形の画像が表示される。このとき、駆動軸５０が透明だったり、駆動軸５０に背景と区別ができない程度の模様や着色がほどこされていると、駆動軸５０が目立たず画像が浮きあがって見える。また、実施例７のものと同様に、回転する駆動軸５０を床に対して垂直に立てると、駆動軸５０の周囲のどこからでも、表示画像を見ることができる。【００４３】
ＦＩＧ１１Ｂは、回転する駆動軸５０を床に対して平行に配置する例を示す。この場合、プレート１２の回転半径も小さくする。これにより、横方向に文字列のような帯状の画像が表示できる。さらに、ＦＩＧ１１Ｃに示す例のように、平面ディスプレイ５２の全面にオーバーラップするようにＦＩＧ１１Ｂに示すディスプレイを配置すると、平面ディスプレイ５２で表示する画像と駆動軸５０を回転してプレート１２で表示する画像とを合成することができる。【００４４】
その結果、例えば、平面ディスプレイ５２を使用して映画を上映しながら、ＦＩＧ１１Ｂに示すディスプレイでその字幕を表示することもできる。もちろん広告表示もできる。予め平面ディスプレイ５２に表示する画像データと字幕との画像合成処理を必要としないし、二種の画像を自由に選択して重ねて表示することができるという効果がある。しかも、背景が透けて見えて、オーバーラップした境目が見えないから自然な合成ができる。
【実施例９】
【００４５】
例えば、広告宣伝やアトラクションその他のイベントなどにおいて、上記の回転ディスプレイは極めて有効に機能する。また、使用場所や環境によって、上記の実施例で説明した様々な構造の回転ディスプレイが利用できる。【００４６】
しかも、回転ディスプレイに供給する画像データ、言い換えれば、表示される残像効果による画像は、目的により、時間により、表示場所により、多種多様なものになる。【００４７】
このために、利用者の希望する画像データをタイムリーに、さらに、いつでも自由に切り替えて表示できるシステムの構築が望まれる。利用者毎の、回転ディスプレイ毎のコンピュータが独自にスタンドアロンで動作するのでは限界がある。【００４８】
図１２はインターネット（Internet）を利用した管理システムのブロック図である。
この図に示したクラウドサーバ５８は、このシステムを運用するために設けられる。クラウドサーバ５８（Cloud server）には、その記憶装置５９に、画像データ６６（Image data）とユーザーデータ６８（User data）とが記憶される。また、これらのデータを活用するために、クラウドサーバ５８には、ユーザーインタフェース７０（User Interface）とディスプレイコントローラー７２（Desplay controler）と課金制御部７４（Accounting control unit）が組み込まれている。【００４９】
画像データ６６は、様々な構造の回転ディスプレイに利用者が望む画像を表示させることができる、多数の画像データを含んでいる。
ユーザーデータ６８は、利用者を特定し、利用者の使用している回転ディスプレイを特定するデータである。【００５０】
ユーザーインタフェース７０は、利用者が望む画像を選択するために使用したり、あるいは利用者が望むメッセージを画像データに付け加えたりする操作用の画面を含む。ディスプレイコントローラー７２は、クラウドサーバ５８にネットワーク６０を介して接続された様々な回転ディスプレイに対して、所定のタイミングで画像データを送信する制御を行う部分である。【００５１】
例えば利用者は、スマートフォン等のユーザ端末装置６４を使用して、ネットワーク６０を介してクラウドサーバ５８に対し、表示を希望する画像データの選択操作や、画像の表示タイミングの入力操作をする。【００５２】
課金制御部７４は、例えば、利用者が表示画像を選択したときや、その画像データの送信を要求した時などに、使用したデータ量に応じてユーザに課金するような機能を持つ部分である。【００５３】
また、この図面の例では、クラウドサーバ５８に対しネットワーク６０を介してデザイナ端末装置６２や６３が接続されている。デザイナ端末装置６２や６３は、画像を作成するデザイナーが操作する端末装置である。【００５４】
デザイナーはそれぞれ独自の画像を作成して、それをサーバ５８の画像データ６６に含めるようにエントリすることができる。そして、利用者がその画像データを利用した場合には、デザイナーに対して利用料が支払われる。例えば、１回使用されるたびに一定の料金が加算される。この利用料の計算を課金制御部７４が実行する。【００５５】
この図面の例では、クラウドサーバ５８はネットワーク６０を介して例えば５種類のそれぞれ構造の異なる回転ディスプレイに対して、利用者の希望する画像データを送信する。この図面の中で、M９Ａと表示された回転ディスプレイは、ＦＩＧ９Ａを用いて説明した回転ディスプレイのことである。同様に、各回転ディスプレイには、説明をした図面番号を含む記号を付した。【００５６】
図１３は、ユーザーデータ６８と画像データ６６の具体例を示す。
ユーザーデータ６８は、この図面に示すように、ユーザコード７６（User code）とパスワード７８（Pass word）とディスプレイリスト８０（Display list）を表示する操作画面を備えている。【００５７】
ディスプレイリスト８０は、ディスプレイコード８２（Display code）とコンテンツコード８４（Contents  code）とタイムスケジュール８６（Time  schedule）とアドレス８８（Adress)とを含む。このシステムが会員制で運用されているとした場合にはユーザコード７６は会員番号である。またパスワード７８は利用者がサーバーにログインするときに使用する暗証番号である。【００５８】
ディスプレイコード８２は、回転ディスプレイ毎に固有の製品番号あるいは識別番号である。このディスプレイコード８２により、回転ディスプレイの種別が特定される。コンテンツコード８４はこの回転ディスプレイに表示させるために利用者が選択した画像データを特定する識別番号である。【００５９】
タイムスケジュール８６は、この回転ディスプレイに利用者が選択した画像を表示する時間的なタイミングを示すデータである。この内容はユーザが自由に設定し変更できる。同じ画像データを一定時間毎に表示させることもできるし、異なる画像データを交互に表示させることもできる。アドレス８８は、サーバーが回転ディスプレイに対して画像データを送信する場合に必要な、回転ディスプレイのＩＰアドレス等である。【００６０】
図１３に示したコンテンツ表示画面９１には、多種の画像データ６６が並べて配置されている。この画面がユーザの端末装置に表示される。ユーザが端末装置を使用していずれかの画像データを選択すると、それがユーザーデータ６８のディスプレイリスト８０に登録される。コンテンツ表示画面９１の中の「ＵＳＥＲ」と表示した画像データ９２は、利用者が任意の文字を書き込むことができる画像データである。この画像データ９２は、「本日の目玉商品は・・・」といった、日替わりのキャッチフレーズを利用者自身が書き込める文字を主体とする画像を含むとよい。【００６１】
これらの画像データがサーバ５８の記憶装置５９に記憶されていれば、上記のサーバ５８の処理により、自動的に利用者の回転ディスプレイに指定されたスケジュールで画像データを表示できる。また、利用者は、いつでも自由にユーザーデータ６８に含まれたコンテンツコード８４やタイムスケジュール８６を変更して、最適な広告宣伝等の効果を得ることができる。
【符号の説明】
【００６２】
１０  回転ディスプレイ
１２  プレート
１２ａ  プレート
１２ｂ  プレート
１４  発光素子群
１６  基板
１８  駆動装置
２０  画像制御部
２２  通信制御部
２４  データバッファ
２６  防護カバー
２８  人感センサ
３０  警報器
３１  電源
３２  スイッチ
３４  ガラス窓
３６  天井
３８  人
４０  壁
４２  パネル
４４  駆動パルス
４６  画像データ
４８  表示画像
５０  駆動軸
５２  平面ディスプレイ
５８  クラウドサーバ
５９  記憶装置
６０  ネットワーク
６２  デザイナ端末装置
６３  デザイナ端末装置
６４  ユーザ端末装置
６６  画像データ
６８  ユーザーデータ
７０  ユーザーインタフェース
７２  ディスプレイコントローラー
７４  課金制御部
７６  ユーザコード
７８  パスワード
８０  ディスプレイリスト
８２  ディスプレイコード
８４  コンテンツコード
８６  タイムスケジュール
８８  アドレス
９１  コンテンツ表示画面
９２  カスタマイズ画像
【図１】
2019087857.tif 000003
【図２】
2019087857.tif 000004
【図３】
2019087857.tif 000005
【図４】
2019087857.tif 000006
【図５】
2019087857.tif 000007
【図６】
2019087857.tif 000008
【図７】
2019087857.tif 000009
【図８】
2019087857.tif 000010
【図９】
2019087857.tif 000011
【図１０】
2019087857.tif 000012
【図１１】
2019087857.tif 000013
【図１２】
2019087857.tif 000014
【図１３】
2019087857.tif 000015
【国際調査報告】
2019087857.tif 000016
2019087857.tif 000017
2019087857.tif 000018
2019087857.tif 000019